(57)【要約】【課題】筐体内における電荷の移動により電子部品に不具合が発生するのを抑制することができる電子機器を提供すること。【解決手段】筐体２０と、筐体２０の第１面側に表示入力面が露出して配置されるタッチパネル２と、筐体２０の内部に配置される制御部と、筐体２０の第１端側に配置され、タッチパネル２と制御部とを電気的に接続するフレキシブル配線基板と、筐体２０の第１端側に、第１面側から突出して又は突出可能に配置される突出機構部３０と、を備える。【選択図】図１
2013243561.tif 000002
【特許請求の範囲】
【請求項１】
筐体と、
前記筐体の第１面側に表示入力面が露出して配置されるタッチパネルと、
前記筐体の内部に配置される制御部と、
前記筐体の第１端側に配置され、前記タッチパネルと前記制御部とを電気的に接続するフレキシブル配線基板と、
前記筐体の前記第１端側に、前記第１面側から突出して又は突出可能に配置される突出機構部と、を備える
電子機器。
【請求項２】
前記突出機構部は、
前記第１面側がグランド面に対向するように配置された状態において、前記第１端側を前記グランド面から離間させ、又は、離間させることが可能に構成される
請求項１に記載の電子機器。
【請求項３】
前記突出機構部は、
前記筐体の前記第１端側に設けられる可動部材と、当該可動部材を前記筐体から突出していない第１位置から、前記筐体から突出している第２位置に移動させる可動部材駆動部と、を備える
請求項１又は２に記載の電子機器。
【請求項４】
前記筐体の前記第１面側と反対側の第２面側に、物体の接近を検出する近接センサーを備え、
前記可動部材駆動部は、前記近接センサーにより物体の接近を検出した場合に、前記可動部材を前記第１位置から前記第２位置に移動させる
請求項３に記載の電子機器。
【請求項５】
前記筐体の前記第１面側の前記第１端側に音声出力部を備え、
前記突出機構部は、前記筐体の前記第１面側における前記音声出力部の近傍において、前記第１面側から突出する耳あて部である
請求項１又は２に記載の電子機器。
【発明の詳細な説明】
【技術分野】
【０００１】
本発明は、タッチパネルを備えた電子機器に関する。
【背景技術】
【０００２】
タッチパネルを備えた電子機器として、例えば、スマートフォンと呼ばれる携帯端末装置が知られている。この種の携帯端末装置では、ユーザの指又はスタイラスペン等によるジェスチャがタッチパネルの表示入力面で検出されることにより、そのジェスチャに応じた動作が実行される。
【０００３】
従来の一般的な携帯端末装置における静電気対策として、ディスプレイへの静電気の進入を抑制するため、ディスプレイの周囲を囲み、グランドに接続された板金部材を有する携帯電話機が提案されている（特許文献１参照）。
【先行技術文献】
【特許文献】
【０００４】
【特許文献１】特開２００３−１８２６４号公報
【発明の概要】
【発明が解決しようとする課題】
【０００５】
一方、タッチパネルを備えた携帯端末装置において、その表示入力面がグランド面に対向するようにグランド面の上に載置された状態（以下、「伏せ置き状態」又は「伏せ置き配置した状態」ともいう）で、ユーザの手が携帯端末装置に触れると、携帯端末装置の内部に蓄積されている電荷がドライバ（ＩＣ）やタッチパネルを通じて筐体からグランド面に移動して、ドライバやタッチパネルの誤動作や故障等の不具合が発生することがある。なお、グランド面とは、表面に絶縁物を有する接地面である。
【０００６】
本発明の目的は、筐体内における電荷の移動により電子部品に不具合が発生するのを抑制することができる電子機器を提供することにある。
【課題を解決するための手段】
【０００７】
本発明に係る電子機器は、１つの態様において、筐体と、前記筐体の第１面側に表示入力面が露出して配置されるタッチパネルと、前記筐体の内部に配置される制御部と、前記筐体の第１端側に配置され、前記タッチパネルと前記制御部とを電気的に接続するフレキシブル配線基板と、前記筐体の前記第１端側に、前記第１面側から突出して又は突出可能に配置される突出機構部と、を備える。
【０００８】
また、本発明に係る電子機器において、前記突出機構部は、前記第１面側がグランド面に対向するように配置された状態において、前記第１端側を前記グランド面から離間させ、又は、離間させることが可能に構成されるものでもよい。
【０００９】
また、本発明に係る電子機器において、前記突出機構部は、前記筐体の前記第１端側に設けられる可動部材と、当該可動部材を前記筐体から突出していない第１位置から、前記筐体から突出している第２位置に移動させる可動部材駆動部と、を備える構成でもよい。
【００１０】
また、本発明に係る電子機器において、前記筐体の前記第１面側と反対側の第２面側に、物体の接近を検出する近接センサーを備え、前記可動部材駆動部は、前記近接センサーにより物体の接近を検出した場合に、前記可動部材を前記第１位置から前記第２位置に移動させる構成でもよい。
【００１１】
また、本発明に係る電子機器において、前記筐体の前記第１面側の前記第１端側に音声出力部を備え、前記突出機構部は、前記筐体の前記第１面側における前記音声出力部の近傍において、前記第１面側から突出する耳あて部でもよい。
【発明の効果】
【００１２】
本発明によれば、筐体内における電荷の移動により電子部品に不具合が発生するのを抑制することができる電子機器を提供することができる。
【図面の簡単な説明】
【００１３】
【図１】実施形態１の携帯端末装置１の外観を示す斜視図である。
【図２】実施形態１の携帯端末装置１の外観を示す正面図である。
【図３】実施形態１の携帯端末装置１の外観を示す背面図である。
【図４】実施形態１の携帯端末装置１における機構的な構成を示すブロック視図である。
【図５】実施形態１の携帯端末装置１における突出ユニット等の配置を示す概念図である。
【図６】実施形態１の携帯端末装置１における主要部の構成を示す断面図である。
【図７】実施形態１のコントローラ１０が突出ユニット３０の動作を制御する場合の処理手順を示すフローチャートである。
【図８】実施形態１の携帯端末装置１における第１端側をグランド面Ｇに接触させた状態を示す概念図である。
【図９】実施形態１の携帯端末装置１における第１端側をグランド面Ｇから離間させた状態を示す概念図である。
【図１０】実施形態２の携帯端末装置１Ａの外観を示す斜視図である。
【図１１】実施形態２の携帯端末装置１Ａをグランド面Ｇに伏せ置き配置した場合の概念図である。
【図１２】実施形態３の携帯端末装置１Ｂの外観を示す斜視図である。
【図１３】実施形態３の携帯端末装置１Ｂをグランド面Ｇに伏せ置き配置した場合の概念図である。
【発明を実施するための形態】
【００１４】
以下、本発明に係る電子機器を携帯端末装置に適用した実施形態１〜３について、図面を参照しながら説明する。
【００１５】
（実施形態１）
まず、実施形態１の携帯端末装置１について説明する。図１は、実施形態１の携帯端末装置１の外観を示す斜視図である。図２は、実施形態１の携帯端末装置１の外観を示す正面図である。図３は、実施形態１の携帯端末装置１の外観を示す背面図である。図４は、実施形態１の携帯端末装置１における機構的な構成を示すブロック視図である。図５は、実施形態１の携帯端末装置１における突出ユニット等の配置を示す概念図である。
【００１６】
なお、図１及び図１２（後述）には、Ｘ、Ｙ、Ｚの互いに直交する座標系を記載した。この座標系において、携帯端末装置１を正面から見たときの高さ方向（長手方向）をＸ方向とする。また、携帯端末装置１を正面から見たときの幅方向をＹ方向とする。更に、携帯端末装置１の厚さ方向をＺ方向とする。
【００１７】
携帯端末装置１は、図１から図３に示すように、筐体としてのハウジング２０を有する。ハウジング２０は、フロントフェイス２０ａと、バックフェイス２０ｂと、サイドフェイス２０ｃ〜２０ｆと、から構成される。
【００１８】
フロントフェイス２０ａは、ハウジング２０の正面側（第１面側）を覆う部材である。バックフェイス２０ｂは、ハウジング２０の背面（第１面側と反対側の第２面側）を覆う部材である。サイドフェイス２０ｃ〜２０ｆは、フロントフェイス２０ａとバックフェイス２０ｂとの間の側面を全周に亘って覆う部材である。
【００１９】
なお、以下の説明において、ハウジング２０の長手方向（図１のＸ方向）を「第１方向」ともいう。また、ハウジング２０の第１方向におけるサイドフェイス２０ｃ側の端部を「第１端側」ともいう。また、ハウジング２０の第１方向におけるサイドフェイス２０ｄ側の端部を「第２端側」ともいう。
【００２０】
携帯端末装置１は、タッチパネル２と、フロント近接センサー３と、レシーバー４と、マイク５と、をフロントフェイス２０ａに有する。また、携帯端末装置１は、リア近接センサー９をバックフェイス２０ｂに有する。更に、携帯端末装置１は、外部インターフェイス１２をサイドフェイス２０ｄに有する。
【００２１】
次に、図４を参照しながら、携帯端末装置１の機能的な構成について説明する。図４に示すように、携帯端末装置１は、タッチパネル２と、フロント近接センサー３と、音声出力部としてのレシーバー４と、音声入力部としてのマイク５と、を有する。また、携帯端末装置１は、加速度センサー６と、方位センサー７と、回転検出センサー８と、リア近接センサー９と、コントローラ１０と、ストレージ１１と、外部インターフェイス１２と、突出機構部としての突出ユニット３０と、を有する。
【００２２】
なお、携帯端末装置１は、この他に、ボタン、照度センサー、通信ユニット、フロントカメラ、メインカメラ、電源システム等（いずれも不図示）を有する。
【００２３】
タッチパネル２は、ディスプレイ２１と、タッチスクリーン２２と、を有する。ディスプレイ２１は、液晶表示パネル（後述）等により構成される。ディスプレイ２１は、文字、画像、記号又は図形等を表示する。
【００２４】
タッチスクリーン２２は、タッチパネル２に対するユーザの指又はスタイラスペン等（以下、総称して「指」ともいう）の接触を検出する。タッチスクリーン２２は、ユーザの指がタッチパネル２に接触した位置を検出する。タッチスクリーン２２の検出方式は、静電容量方式、抵抗膜方式、表面弾性波方式（又は超音波方式）、赤外線方式、電磁誘導方式、及び荷重検出方式等の任意の方式でよい。
【００２５】
携帯端末装置１は、タッチスクリーン２２により検出された接触、接触位置、接触時間又は接触回数に基づいて、ジェスチャの種別を判別する。ジェスチャは、ユーザがタッチパネル２のタッチスクリーン２２に対して行う操作である。
【００２６】
携帯端末装置１は、タッチスクリーン２２を介して判別した各種のジェスチャに従って動作を行う。なお、判別されるジェスチャに従って携帯端末装置１が行う動作は、ディスプレイ２１に表示されている画面に応じて異なる。
【００２７】
フロント近接センサー３は、ハウジング２０の正面側（第１面側）側における物体の接近を非接触で検出する。フロント近接センサー３は、センサー検出面がハウジング２０の正面側に向くように配置されている。フロント近接センサー３により、例えば、タッチパネル２にユーザの顔が接近したことが検出される。フロント近接センサー３における検出結果は、コントローラ１０に出力される。
【００２８】
レシーバー４は、コントローラ１０から送信される音声信号を音声として出力する。レシーバー４は、ハウジング２０のフロントフェイス２０ａ（正面）における第１方向（Ｘ方向）の第１端側に配置されている。
【００２９】
マイク５は、利用者等の音声を音声信号へ変換してコントローラ１０へ送信する。マイク５は、コンデンサ型のマイクロホンにより構成される。マイク５は、ハウジング２０の内部における第１方向の第２端側に配置されている。マイク５は、ハウジング２０の内部において、ＦＰＣ及びＰＣＢ（いずれも不図示）のＧＮＤを介してシールド板金２７（後述）に接続されている。また、マイク５は、ハウジング２０の内部における第１方向の第２端側において、タッチウィンドウ２２ａ（後述）と接触するように配置されている。
【００３０】
加速度センサー６は、携帯端末装置１に働く加速度の方向及び大きさを検出する。方位センサー７は、地磁気の向きを検出する。回転検出センサー８は、携帯端末装置１の回転を検出する。加速度センサー６、方位センサー７及び回転検出センサー８の検出結果は、携帯端末装置１の位置及び姿勢の変化を検出するために、組み合わせて利用される。
【００３１】
リア近接センサー９は、ハウジング２０の背面（第２面側）側における物体の接近を非接触で検出する。リア近接センサー９は、センサー検出面がハウジング２０の背面側に向くように配置されている。リア近接センサー９により、例えば、携帯端末装置１にユーザの手が接近したことが検出される。リア近接センサー９における検出結果は、コントローラ１０に出力される。
【００３２】
コントローラ１０は、例えば、ＣＰＵ（Ｃｅｎｔｒａｌ  Ｐｒｏｃｅｓｓｉｎｇ  Ｕｎｉｔ）により構成される。コントローラ１０は、携帯端末装置１の動作を統括的に制御するものであり、必要に応じて各種ドライバ回路（不図示）の動作を制御する。
【００３３】
コントローラ１０は、ストレージ１１（後述）に記憶されているデータを必要に応じて参照しつつ、ストレージ１１に記憶されているプログラムに含まれる命令を実行して、ディスプレイ２１及び通信ユニット（不図示）等を制御する。例えば、コントローラ１０は、表示ドライバ２３（後述）を介して、ディスプレイ２１の動作を制御する。なお、コントローラ１０は、タッチスクリーン２２、ボタン（不図示）、加速度センサー６等の各種検出部の検出結果に応じて、制御を変更することもある。
【００３４】
コントローラ１０は、ストレージ１１に記憶されている制御プログラムを実行することにより、タッチスクリーン２２を介して検出されたジェスチャに応じて、ディスプレイ２１に表示されている情報を変更する等の各種制御を実行する。コントローラ１０は、タッチパネルドライバ２４（後述）を介して、タッチパネル２の動作を制御する。
【００３５】
また、コントローラ１０は、制御プログラムに含まれる突出ユニット３０の制御プログラムに従って、突出ユニット３０の動作を制御する。コントローラ１０が突出ユニット３０の動作を制御する場合の具体例については後述する。
【００３６】
ストレージ１１は、プログラム及びデータを記憶する記憶装置である。ストレージ１１は、コントローラ１０の処理結果を一時的に記憶する作業領域としても利用される。
【００３７】
ストレージ１１に記憶されるプログラムには、フォアグランド又はバックグランドで実行されるアプリケーションと、アプリケーションの動作を支援する制御プログラムと、が含まれる。アプリケーションは、例えば、ディスプレイ２１に所定の画面を表示させ、タッチスクリーン２２によって検出されるジェスチャに応じた処理をコントローラ１０に実行させる。制御プログラムは、例えば、オペレーティングシステムである。
【００３８】
制御プログラムは、コントローラ１０に、携帯端末装置１を稼働させるための各種制御に関する機能を提供する。例えば、コントローラ１０は、制御プログラムに従って、レシーバー４及びマイク５等を制御することによって、通話を実現させる。また、コントローラ１０は、制御プログラムに従って、突出ユニット３０を制御することによって、突出部３１（可動部材３３）を第１位置又は第２位置に移動させる。
【００３９】
また、制御プログラムが提供する機能には、タッチスクリーン２２を介して検出されたジェスチャに応じて、ディスプレイ２１に表示されている情報を変更する等の各種制御を行う機能が含まれる。
【００４０】
外部インターフェイス１２は、他の装置が接続される端子である。外部インターフェイス１２に接続される装置には、例えば、外部ストレージ、スピーカ、通信装置、充電アダプタの電源ラインが含まれる。
【００４１】
突出ユニット３０は、携帯端末装置１がグランド面Ｇ（後述）に伏せ置き配置された状態において、ハウジング２０の正面における第１方向の第１端側をグランド面Ｇから離間させる。突出ユニット３０は、ハウジング２０のフロントフェイス２０ａ（正面）における第１方向（Ｘ方向）の第１端側に配置されている。
【００４２】
突出ユニット３０は、突出部３１と、可動部材駆動部としての駆動部３２と、を有する。突出部３１は、ハウジング２０から突出していない第１位置、又はハウジング２０から突出した第２位置に移動可能に構成される可動部材３３（図５参照）を有する。また、突出部３１は、電圧の印加により伸張し、電圧の印加が停止すると収縮する圧電素子（不図示）を備える。可動部材３３は、圧電素子の自由端部に取り付けられている。
【００４３】
駆動部３２は、突出部３１の圧電素子に所定の電圧を印加して可動部材３３を第１位置に移動させ、また突出部３１の圧電素子への電圧の印加を停止して可動部材３３を第２位置に移動させる。駆動部３２による突出部３１への電圧の印加／停止は、コントローラ１０により制御される。
【００４４】
図５（Ａ）に示すように、駆動部３２が突出部３１の圧電素子に電圧を印加しない場合に、可動部材３３は、ハウジング２０から突出していない第１位置に位置する。この場合、ハウジング２０の正面側（第１面側）における第１方向の第１端側は、グランド面Ｇに接した状態となる。一方、図５（Ｂ）に示すように、駆動部３２が突出部３１の圧電素子に所定の電圧を印加した場合に、可動部材３３は、ハウジング２０から突出している第２位置に位置する。この場合、ハウジング２０の正面側（第１面側）における第１方向の第１端側は、グランド面Ｇから離間した状態となる。
【００４５】
なお、可動部材３３が突出することにより、ハウジング２０の第１端側がグランド面Ｇから離間する距離は、少なくとも０．８５ｍｍ以上であることが望ましい。図５（Ｂ）では、可動部材３３の突出した様子が模式的に描かれている。
【００４６】
なお、グランド面Ｇは、表面に絶縁シートＳ（絶縁物）を有する接地面である。グランド面Ｇは、携帯端末装置１が、タッチパネル２のディスプレイ２１を下向きにして載置される面である。
【００４７】
次に、携帯端末装置１の内部構成について更に詳細に説明する。図６は、実施形態１の携帯端末装置１における主要部の構成を示す断面図である。なお、図６では、突出ユニット３０を除く携帯端末装置１の主要部を概略的に示している。
【００４８】
図６に示すように、携帯端末装置１のハウジング２０内には、タッチパネル２、表示ドライバ２３、タッチパネルドライバ２４、フレキシブル配線基板としてのタッチパネルＦＰＣ２５、ＰＣＢ２６、シールド板金２７、ＰＣＢ２６、バッテリーパックＢＰ等が配置されている。
【００４９】
タッチパネル２のタッチスクリーン２２は、ハウジング２０の正面に配置されるタッチウィンドウ２２ａと、その背面側に配置されるタッチスクリーン本体２２ｂと、を有する。タッチウィンドウ２２ａは、透明なガラスである。タッチウィンドウ２２ａは、ハウジング２０の第１面側に露出して配置される。
【００５０】
タッチスクリーン本体２２ｂは、ユーザがタッチパネル２に対して行ったジェスチャを検出し、検出したジェスチャの領域を座標情報としてコントローラ１０に出力する。タッチスクリーン本体２２ｂは、タッチウィンドウ２２ａにおけるハウジング２０の内部側に積層して配置される。
【００５１】
また、タッチパネル２のディスプレイ２１は、液晶表示パネル２１ａと、その背面側に配置されるバックライト２１ｂと、を有する。液晶表示パネル２１ａには、表示ドライバ２３が実装されている。表示ドライバ２３は、液晶表示パネルに画像信号、同期信号を供給する信号駆動回路（不図示）の動作を制御する。
【００５２】
タッチパネルドライバ２４は、タッチスクリーン本体２２ｂを駆動するための回路である。タッチパネルドライバ２４は、タッチパネル２において、バックライト２１ｂの背面側に配置されている。タッチパネルドライバ２４は、タッチパネルＦＰＣ２５を介してタッチスクリーン本体２２ｂと接続されている。
【００５３】
タッチパネルＦＰＣ（Ｆｌｅｘｉｂｌｅ  Ｐｒｉｎｔｅｄ  Ｃｉｒｃｕｉｔｓ）２５は、タッチパネルドライバ２４とタッチパネル２（タッチスクリーン本体２２ｂ）とを電気的に接続する配線部材である。タッチパネルＦＰＣ２５は、ハウジング２０の内部における第１方向の第１端側に配置されている。
【００５４】
ＰＣＢ（Ｐｒｉｎｔｅｄ  Ｃｉｒｃｕｉｔ  Ｂｏａｒｄ）２６は、各種の電気回路を構成する電子部品が配置される基板である。ＰＣＢ２６は、コネクタ２８及びＦＰＣ２９を介してタッチパネルドライバ２４と接続されている。
【００５５】
シールド板金２７は、ハウジング２０の第１方向に沿って延出する金属製の板状部材である。シールド板金２７は、ハウジング２０の内部に収納された電子部品（タッチパネル２等）を補強する機能と、内部で発生した電荷を逃がすシャーシーアース（ＧＮＤ）としての機能と、を有する。シールド板金２７には、タッチパネルドライバ２４やタッチパネルＦＰＣ２５等の電子部品と接触しないようにするための開口部（符号略）が形成されている。
【００５６】
また、シールド板金２７には、ＦＰＣ及びＰＣＢ（いずれも不図示）のＧＮＤを介してマイク５が接続されている。すなわち、マイク５は、外側の図示しないＣＡＮ部分（ＧＮＤ）がＦＰＣのＧＮＤに接続されている。ＦＰＣはＰＣＢに接続されている。そして、ＰＣＢのＧＮＤは、シールド板金２７に接続されている。従って、マイク５は、ＦＰＣ及びＰＣＢ（いずれも不図示）のＧＮＤを介してシールド板金２７に接続されている。
【００５７】
バッテリーパックＢＰは、電源システム（不図示）に対して電力を供給する。バッテリーパックＢＰは、ハウジング２０のバックフェイス２０ｂ側に着脱自在に収納されている。
【００５８】
次に、コントローラ１０が突出ユニット３０の制御プログラムに従って、突出ユニット３０の動作を制御する場合の処理手順について説明する。図７は、実施形態１のコントローラ１０が突出ユニット３０の動作を制御する場合の処理手順を示すフローチャートである。なお、本フローチャートの処理は、携帯端末装置１の電源がオンしている間、所定の時間間隔で繰り返し実行される。
【００５９】
図７に示すステップＳＴ１０１において、コントローラ１０は、フロント近接センサー３及び加速度センサー６の検出結果を取得する。
【００６０】
ステップＳＴ１０２において、コントローラ１０は、フロント近接センサー３及び加速度センサー６の検出結果に基づいて、携帯端末装置１が伏せ置き状態か否かを判定する。このステップＳＴ１０２において、コントローラ１０は、携帯端末装置１が伏せ置き状態である（ＹＥＳ）と判定した場合には、ステップＳＴ１０３の処理へ移行する。一方、ステップＳＴ１０２において、コントローラ１０は、携帯端末装置１が伏せ置き状態でない（ＮＯ）と判定した場合には、ステップＳＴ１０１の処理へ戻る。
【００６１】
ステップＳＴ１０３（ステップＳＴ１０２：ＹＥＳ）において、コントローラ１０は、リア近接センサー９の検出結果を取得する。
【００６２】
ステップＳＴ１０４において、コントローラ１０は、リア近接センサー９の検出結果に基づいて、携帯端末装置１（ハウジング２０）の背面側において物体（おもにユーザの手）の接近あるか否かを判定する。このステップＳＴ１０４において、コントローラ１０は、携帯端末装置１の背面側に物体の接近がある（ＹＥＳ）と判定した場合には、ステップＳＴ１０５の処理へ移行する。一方、ステップＳＴ１０４において、コントローラ１０は、携帯端末装置１の背面側に物体の接近がない（ＮＯ）と判定した場合には、ステップＳＴ１０１の処理へ戻る。
【００６３】
ステップＳＴ１０５（ステップＳＴ１０４：ＹＥＳ）において、コントローラ１０は、突出ユニット３０において、突出部３１（可動部材３３）がハウジング２０から突出している第２位置に位置するように駆動部３２を制御する。可動部材３３がハウジング２０から突出することにより、携帯端末装置１の正面側（第１面側）における第１方向の第１端側は、グランド面Ｇから離間した状態となる（図５（Ｂ）参照）。
【００６４】
ステップＳＴ１０６において、コントローラ１０は、加速度センサー６、方位センサー７及び回転検出センサー８の検出結果を取得する。
【００６５】
ステップＳＴ１０７において、コントローラ１０は、加速度センサー６、方位センサー７及び回転検出センサー８の検出結果に基づいて、携帯端末装置１が（ユーザに）持ち上げられたか否かを判定する。このステップＳＴ１０７において、コントローラ１０は、携帯端末装置１が持ち上げられた（ＹＥＳ）と判定した場合には、ステップＳＴ１０８の処理へ移行する。一方、ステップＳＴ１０７において、コントローラ１０は、携帯端末装置１が持ち上げられていない（ＮＯ）と判定した場合には、ステップＳＴ１０９の処理へ移行する。
【００６６】
ステップＳＴ１０８（ステップＳＴ１０７：ＹＥＳ）において、コントローラ１０は、突出ユニット３０において、突出部３１（可動部材３３）がハウジング２０から突出していない第１位置に位置するように駆動部３２を制御する（図５（Ａ）参照）。そして、コントローラ１０は、本フローチャートの処理を終了する（ステップＳＴ１０１へリターンする）。
【００６７】
また、ステップＳＴ１０９（ステップＳＴ１０７：ＮＯ）において、コントローラ１０は、タイマによる計時をスタートさせる。
【００６８】
ステップＳＴ１１０において、コントローラ１０は、タイマの計時が所定時間に達したか否かを判定する。このステップＳＴ１１０において、コントローラ１０は、タイマによる計時が所定時間ｔに達した（ＹＥＳ）と判定した場合には、ステップＳＴ１０８の処理へ移行する。可動部材３３を第２位置に位置させた後、予め設定された所定時間ｔが経過しても、ユーザが携帯端末装置１を持ち上げない場合には、可動部材３３を第２位置にしておく必要が無い。そのため、コントローラ１０は、ステップＳＴ１０８の処理へ移行して、可動部材３３が第１位置に位置するように突出ユニット３０を制御する。
【００６９】
一方、ステップＳＴ１１０において、コントローラ１０は、タイマの計時が所定時間ｔに達していない（ＮＯ）と判定した場合には、ステップＳＴ１１０の処理を繰り返す。なお、所定時間ｔは、予め設定された固定時間であってもよいし、ユーザが任意に設定できるものであってもよい。
【００７０】
次に、本実施形態の携帯端末装置１において、突出ユニット３０の突出部３１（可動部材３３）を突出させた場合の作用について説明する。図８は、実施形態１の携帯端末装置１における第１端側をグランド面Ｇに接触させた状態を示す概念図である。図９は、実施形態１の携帯端末装置１における第１端側をグランド面Ｇから離間させた状態を示す概念図である。
【００７１】
ここで、図８は、本実施形態の携帯端末装置１を、従来の携帯端末装置と同じ状態で持ち上げる場合を示す。また、図９では、説明を容易にするために、携帯端末装置１の第１端側をグランド面Ｇから実際よりも大きく離間させた状態を示す。図８及び図９では、突出ユニット３０の図示を省略すると共に、説明に必要の無い箇所の符号を適宜に省略する。
【００７２】
図８において、携帯端末装置１は、そのフロントフェイス２０ａがグランド面Ｇに対向するように伏せ置き配置されている。この伏せ置き配置において、携帯端末装置１は、その第１端側がグランド面Ｇに接触した状態となる。この状態で、ユーザが携帯端末装置１に触れると、携帯端末装置１の内部に蓄積されている電荷が、タッチパネルドライバ２４からタッチパネルＦＰＣ２５を介してタッチパネル２に達し、グランド面Ｇに移動する。電荷がこのような経路で移動するのは、タッチパネルＦＰＣ２５のインピーダンスが他の電子部品に比べて低いため、他の部分に比べて電荷が移動しやすいためである。そのため、タッチパネルＦＰＣ２５は、電荷の移動量が最も多くなる。このような理由から、携帯端末装置１を伏せ置き配置した状態で、ユーザが携帯端末装置１に触れると、タッチパネルＦＰＣ２５に接続するタッチパネルドライバ２４やタッチパネル２に誤動作や故障等の不具合が発生しやすくなる。
【００７３】
一方、図９において、携帯端末装置１は、上述した突出ユニット３０（不図示）の動作により、フロントフェイス２０ａの第１端側がグランド面Ｇから離間した状態となる。そのため、ユーザが携帯端末装置１に触れたときに、携帯端末装置１の内部に蓄積されている電荷は、おもにシールド板金２７を経由して第２端側に移動し、第２端側に配置されたマイク５の周辺からグランド面Ｇに移動する。
【００７４】
これは、図９に示すように、携帯端末装置１の第１端側をグランド面Ｇから離間させたことにより、第１端側とグランド面Ｇとの間に生じる静電容量Ｃ１が、第２端側とグランド面Ｇとの間に生じる静電容量Ｃ２よりも十分に小さくなるためである（Ｃ１＜＜Ｃ２）。このような静電容量の差が生じると、携帯端末装置１の内部に存在している電荷は、静電容量の小さな（電位の高い）第１端側よりも、静電容量のより大きな（電位の低い）第２端側に移動する。
【００７５】
そのため、ユーザが携帯端末装置１に触れたときに、携帯端末装置１の内部に存在しているほとんどの電荷は、タッチパネルＦＰＣ２５に沿って移動することなく、おもにシールド板金２７を経由して第２端側に移動し、マイク５の周辺からグランド面Ｇに移動する。このように、携帯端末装置１の第１端側をグランド面Ｇから離間させた場合には、ほとんどの電荷がタッチパネルドライバ２４やタッチパネル２を経由して移動しないので、これらの電子部品に誤動作や故障等の不具合が発生しにくくなる。
【００７６】
上記実施形態１の携帯端末装置１によれば、例えば、以下のような効果を奏する。
実施形態１の携帯端末装置１では、ユーザが携帯端末装置１に触れようとしたときに、第１端側がグランド面Ｇから離間するように突出ユニット３０が動作する。そのため、ユーザが携帯端末装置１に触れたときに、携帯端末装置１の内部に蓄積されている電荷は、第１端側に配置されたタッチパネルＦＰＣ２５に沿って移動することなく、おもにシールド板金２７を経由して第２端側からグランド面Ｇに移動する。このように、実施形態１の携帯端末装置１によれば、ほとんどの電荷がタッチパネルドライバ２４やタッチパネル２を経由して移動しないので、これらの電子部品に誤動作や故障等の不具合が発生しにくくなる。
【００７７】
また、ユーザの手が静電気による電荷を帯びていると、ユーザが携帯端末装置１に触れたときに、ユーザの手に帯電していた電荷がハウジング２０の嵌合部の隙間から内部に入り込み、携帯端末装置１の内部に蓄積されている電荷と共に、タッチパネルドライバ２４やタッチパネル２に沿ってグランド面Ｇに移動する。しかし、実施形態１の携帯端末装置１では、ユーザが電荷を帯びた手で触れても、ほとんどの電荷がタッチパネルドライバ２４やタッチパネル２を経由して移動しないので、これらの電子部品に誤動作や故障等の不具合が発生しにくくなる。
【００７８】
とくに、近年の薄型化された携帯端末装置では、グランド面Ｇに対する沿面距離を確保することが難しいため、上記のような電子部品の不具合が発生しやすくなる。しかし、実施形態１の携帯端末装置１では、ハウジング２０を薄型化しても、第１端側がグランド面Ｇから離間するように突出ユニット３０が動作するため、グランド面Ｇに対する十分な沿面距離を確保することが可能となる。
【００７９】
また、実施形態１の携帯端末装置１では、ユーザの手が携帯端末装置１に接近したことを検出して、突出ユニット３０が自動的に第１端側をグランド面Ｇから離間させる。これによれば、ユーザが携帯端末装置１に手を触れようとするまでは、携帯端末装置１が伏せ置き状態となるため、例えば、充電中において、携帯端末装置１をグランド面Ｇの上に安定した姿勢で載置しておくことができる。
【００８０】
また、携帯端末装置１の第１端側（片側）がグランド面Ｇから離間することにより、ユーザが携帯端末装置１に指をかけやすくなる。そのため、ユーザは、携帯端末装置１が伏せ置き状態にある場合に比べて、携帯端末装置１を取り上げやすくなる。とくに、携帯端末装置１を薄型化した場合でも、携帯端末装置１の第１端側がグランド面Ｇから離間することにより、ユーザは、携帯端末装置１を取り上げやすくなる。
【００８１】
また、実施形態１の携帯端末装置１は、第２端側にマイク５が配置されている。マイク５は、本体の外側に金属部材が使用されているため、携帯端末装置１の電荷は、マイク５の配置された第２端側に移動しやすくなる。
【００８２】
また、実施形態１の携帯端末装置１において、マイク５は、シャーシーアース（ＧＮＤ）として機能するシールド板金２７に接続されている。これによれば、携帯端末装置１の電荷は、おもにシールド板金２７を経由して第２端側に移動するため、電荷がタッチパネルドライバ２４やタッチパネル２を経由して移動することを抑制することができる。
【００８３】
また、実施形態１の携帯端末装置１において、マイク５は、誘電体であるガラスのタッチウィンドウ２２ａと接触して配置されている。そのため、携帯端末装置１の電荷は、タッチウィンドウ２２ａに接触するマイク５の配置された第２端側により移動しやすくなる。
【００８４】
（実施形態２）
次に、実施形態２の携帯端末装置１Ａについて説明する。図１０は、実施形態２の携帯端末装置１Ａの外観を示す斜視図である。また、図１１は、実施形態２の携帯端末装置１Ａをグランド面Ｇに伏せ置き配置した場合の概念図である。なお、図１０及び図１１では、実施形態１の携帯端末装置１と共通する部分については、適宜に符号の図示及び説明を省略する。
【００８５】
実施形態２の携帯端末装置１Ａは、突出機構部としての耳あて部４０を備える。耳あて部４０は、ハウジング２０の第１端側に、正面側（第１面側）から突出して配置される。また、耳あて部４０は、ハウジング２０の第１端側において、レシーバー４の近傍に配置されている。耳あて部４０は、例えば、ゴム、プラスチック等の部材により構成される。耳あて部４０は、ハウジング２０の正面側（第１面側）から、少なくとも０．８５ｍｍ突出するだけの厚みがあればよい。図１１では、耳あて部４０が突出した様子が模式的に描かれている。
【００８６】
図１１に示すように、実施形態２の携帯端末装置１Ａを、フロントフェイス２０ａがグランド面Ｇに対向するように伏せ置き配置すると、耳あて部４０により、携帯端末装置１Ａの第１端側がグランド面Ｇから離間される。すなわち、耳あて部４０は、携帯端末装置１Ａが伏せ置き配置された状態において、携帯端末装置１Ａの第１端側をグランド面Ｇから離間させる。
【００８７】
そして、図１１に示す状態において、ユーザが携帯端末装置１Ａに触れると、実施形態１の携帯端末装置１と同様の作用により、電荷は、第２端側に配置されたマイク５（図１０参照）の周辺からグランド面Ｇに移動する。そのため、実施形態２の携帯端末装置１Ａにおいても、ほとんどの電荷がタッチパネルドライバ２４やタッチパネル２を経由して移動しないので、これらの電子部品に誤動作や故障等の不具合が発生しにくくなる。このことは、ユーザが電荷を帯びた手で携帯端末装置１Ａに触れた場合も同じである。
【００８８】
なお、一般的な携帯端末装置は、外部インターフェイスと外部電源との間を電源ライン（充電アダプタのコード）で接続することにより、内部の充電池を充電することができる。携帯端末装置を伏せ置き状態にして充電した場合に、電源ラインにノイズが入ると、ユーザの手が接触しなくても、ノイズの影響により、携帯端末装置の内部に蓄積した電荷がタッチパネルドライバやタッチパネルを通じてハウジングからグランド面に移動して、これら電子部品に不具合を生じさせることがある。
【００８９】
しかし、実施形態２の携帯端末装置１Ａでは、伏せ置き配置した状態において、耳あて部４０により、携帯端末装置１Ａの第１端側がグランド面Ｇから常に離間した状態となる。そのため、携帯端末装置１Ａの充電中に電源ラインにノイズが入った場合でも、タッチパネルドライバ２４やタッチパネル２等の電子部品に誤動作や故障等の不具合が発生しにくくなる。
【００９０】
また、携帯端末装置１Ａの第１端側（片側）がグランド面Ｇから離間するため、ユーザが携帯端末装置１Ａに指をかけやすくなる。そのため、ユーザは、携帯端末装置１Ａを伏せ置き配置しても、携帯端末装置１Ａを取り上げやすくなる。とくに、携帯端末装置１Ａを薄型化した場合でも、携帯端末装置１Ａの第１端側がグランド面Ｇから離間することにより、ユーザは、携帯端末装置１Ａを取り上げやすくなる。
【００９１】
また、実施形態２の携帯端末装置１Ａにおいて、耳あて部４０は、レシーバー４の近傍（ハウジング２０の第１端側）に配置されている。これによれば、ユーザが携帯端末装置１のレシーバー４に耳を押し当てると、耳あて部４０により、レシーバー４からの音漏れや外部から音の入り込みが抑制される。そのため、ユーザは、レシーバー４から発せられる音声をより聞き取りやすくなる。
【００９２】
（実施形態３）
次に、実施形態３の携帯端末装置１Ｂについて説明する。図１２は、実施形態３の携帯端末装置１Ｂの外観を示す斜視図である。また、図１３は、実施形態３の携帯端末装置１Ｂをグランド面Ｇに伏せ置き配置した場合の概念図である。なお、図１１及び図１２において、実施形態１の携帯端末装置１と共通する部分については、適宜に符号の図示及び説明を省略する。
【００９３】
実施形態３の携帯端末装置１Ｂは、突出機構部としての脚突出部５０を備える。脚突出部５０は、ハウジング２０の第１端側に配置されている。脚突出部５０は、回動脚５１と、支持軸５２と、を備える。回動脚５１は、板状の部材である。回動脚５１は、例えば、プラスチック板により構成される。回動脚５１の一端は、支持軸５２によりハウジング２０のサイドフェイス２０ｃに回動自在に支持されている。回動脚５１は、支持軸５２を中心として回動させることができる。
【００９４】
回動脚５１を、その長手方向がサイドフェイス２０ｃの延出方向（Ｙ方向）と一致するように回動させると、回動脚５１は、ハウジング２０の正面側（第１面側）から突出していない第１位置に移動する。一方、回動脚５１を、その長手方向がサイドフェイス２０ｃの延出方向と直交する方向（Ｚ方向）と一致するように回動させると、回動脚５１は、図１２の想像線で示すように、ハウジング２０の正面から突出している第２位置に移動する。
【００９５】
すなわち、脚突出部５０は、携帯端末装置１Ｂが伏せ置き配置された状態において、携帯端末装置１Ｂの第１端側をグランド面Ｇから離間させることが可能に構成される。
【００９６】
回動脚５１の長手方向の長さは、例えば、回動脚５１を回動させてハウジング２０の正面から突出させたときに、フロントフェイス２０ａから少なくとも０．８５ｍｍ突出するだけの長さがあればよい。図１２及び図１３では、回動脚５１が突出した様子が模式的に描かれている。
【００９７】
ユーザは、携帯端末装置１Ｂを携帯したり、操作したりするときには、指で回動脚５１を回動させることにより、回動脚５１を、ハウジング２０の正面から突出していない第１位位置に移動させることができる。また、ユーザは、携帯端末装置１Ｂをグランド面Ｇ等の上に載置するときには、指で回動脚５１を回動させることにより、回動脚５１を、ハウジング２０の正面から突出している第２位置に移動させることができる。
【００９８】
図１３に示すように、実施形態３の携帯端末装置１Ｂにおいて、回動脚５１をハウジング２０の正面から突出している第２位置に移動させ、携帯端末装置１Ｂを伏せ置き配置すると、回動脚５１により、携帯端末装置１Ｂの第１端側は、グランド面Ｇから離間する。この状態で、ユーザが携帯端末装置１Ｂに触れると、実施形態１の携帯端末装置１と同様の理由により、電荷は、第２端側に配置されたマイク５（図１２参照）の周辺からグランド面Ｇに移動する。そのため、実施形態３の携帯端末装置１Ｂにおいても、ほとんどの電荷は、タッチパネルドライバ２４やタッチパネル２を経由して移動しないので、これらの電子部品に誤動作や故障等の不具合が発生しにくくなる。このことは、ユーザが電荷を帯びた手で携帯端末装置１Ｂに触れた場合も同じである。
【００９９】
また、実施形態３の携帯端末装置１Ｂにおいても、回動脚５１をハウジング２０の正面から突出している第２位置に移動させることにより、携帯端末装置１Ｂの第１端側は、グランド面Ｇから常に離間した状態となる。そのため、携帯端末装置１Ｂの充電中に電源ラインにノイズが入った場合でも、タッチパネルドライバ２４やタッチパネル２等の電子部品に誤動作や故障等の不具合が発生しにくくなる。
【０１００】
また、携帯端末装置１Ｂの第１端側（片側）がグランド面Ｇから離間することにより、ユーザが携帯端末装置１Ｂに指をかけやすくなる。そのため、ユーザは、携帯端末装置１Ｂを伏せ置き配置しても、携帯端末装置１Ｂを取り上げやすくなる。とくに、携帯端末装置１Ｂを薄型化した場合でも、携帯端末装置１Ｂの第１端側がグランド面Ｇから離間することにより、ユーザは、携帯端末装置１Ｂを取り上げやすくなる。
【０１０１】
なお、本発明は、上述した実施形態１〜３に制限されるものではなく、以下に示すように適宜に変更可能であり、それらも本発明の範囲に含まれる。
【０１０２】
例えば、実施形態１では、突出ユニット３０の突出部３１を圧電素子により構成した例について説明した。これに限らず、突出ユニット３０の突出部３１を、モータ等を動力源とするギア機構により駆動する構成としてもよい。
【０１０３】
その場合に、マナーモード設定時に振動を発生するバイブモーターの回転を、電磁クラッチにより突出ユニット３０に伝達するように構成してもよい。すなわち、携帯端末装置を伏せ置き配置していない時には、電磁クラッチをオフ状態にして、バイブモーターと突出ユニット３０との連結を切り離す。この場合、マナーモード設定時に着信があれば、バイブモーターが振動してユーザに着信を知らせる。一方、携帯端末装置が伏せ置き配置されている時には、電磁クラッチをオン状態にして、バイブモーターと突出ユニット３０とを連結させる。この場合、ユーザが携帯端末装置に手を接近させると、突出ユニット３０の突出部３１（ギア機構）がバイブモーターにより駆動される。このような構成とした場合には、突出ユニット３０において、専用の駆動部３２が不要となるため、構成を簡素化することができる。
【０１０４】
また、実施形態１の携帯端末装置１において、ユーザが携帯端末装置１をグランド面Ｇに伏せ置き配置する前に、ユーザにより特定のボタン（不図示）が操作されると、突出ユニット３０の突出部３１が動作する構成としてもよい。
【０１０５】
また、実施形態１では、ユーザが携帯端末装置１を触れようとしたときに、第１端側がグランド面Ｇから離間するように突出ユニット３０を動作させる例について説明した。これに限らず、携帯端末装置１が伏せ置き状態となった時点で、第１端側がグランド面Ｇから離間するように突出ユニット３０を動作させてもよい。コントローラ１０は、フロント近接センサー３及び加速度センサー６の検出結果に基づいて、携帯端末装置１が伏せ置き状態か否かを判定することができる。
【０１０６】
このような構成とした場合に、実施形態１の携帯端末装置１は、伏せ置き状態にするだけで自動的に突出部３１（可動部材３３）が突出して、第１端側がグランド面Ｇから離間した状態となる。そのため、携帯端末装置１の充電中に電源ラインにノイズが入った場合でも、タッチパネルドライバ２４やタッチパネル２等の電子部品に誤動作や故障等の不具合が発生しにくくなる。
【０１０７】
また、実施形態２の携帯端末装置１Ａにおいて、耳あて部４０は、図１０に示す形状に限らず、例えば、ハウジング２０の正面側（第１面側）から少なくとも０．８５ｍｍ突出するだけの厚みがあればどのような形状であってもよい。
【０１０８】
また、実施形態３の携帯端末装置１Ｂにおいては、脚突出部５０をハウジング２０のサイドフェイス２０ｃに配置した例について説明した。この例に限らず、脚突出部５０を、
フロントフェイス２０ａの第１端側に内蔵させてもよい。また、一対の脚突出部５０を、サイドフェイス２０ｅ又は２０ｆの第１端側にそれぞれ配置してもよい。また、回動脚５１の形状は、回動脚５１をハウジング２０の正面から突出させたときに、ハウジング２０の正面から少なくとも０．８５ｍｍ突出するだけの長さがあれば、どのような形状でもよい。
【０１０９】
また、実施形態１〜３では、グランド面Ｇを、表面に絶縁シートＳ（絶縁物）を有する接地面として説明した。これに限らず、グランド面Ｇは、携帯端末装置に内包されない、任意の面（例えば、テーブルや机の載置面等）であってもよい。
【０１１０】
また、実施形態１〜３では、本発明に係る電子機器を携帯端末装置に適用した例について説明したが、これに限らず、タブレット端末装置やＰＤＡ（Ｐｅｒｓｏｎａｌ  Ｄｉｇｉｔａｌ  Ａｓｓｉｓｔａｎｔ）等のタッチパネルを備えた電子機器一般に適用することができる。
【０１１１】
上述したように、本発明に係る電子機器の突出機構部は、実施形態１〜３の例に限らず、他の様々な形態で実現することができる。すなわち、本発明に係る電子機器において、突出機構部は、ハウジング２０における正面側（第１面側）がグランド面Ｇに対向するように配置された状態において、少なくともハウジング２０における第１方向の第１端側がグランド面Ｇから離間したときに、ハウジング２０における第１方向の第１端側に生じる静電容量を、ハウジング２０における第１方向の第１端側と反対の第２端側に生じる静電容量よりも小さくさせる静電容量規制部としての機能を備えていればよい。
【符号の説明】
【０１１２】
１，１Ａ，１Ｂ  携帯端末装置（電子機器）
２  タッチパネル
４  レシーバー（音声出力部）
５  マイク（音声入力部）
９  リア近接センサー（近接センサー）
１０  コントローラ
２０  ハウジング（筐体）
２２ａ  タッチウィンドウ
２２ｂ  タッチスクリーン本体
２４  タッチパネルドライバ（制御部）
２５  タッチパネルＦＰＣ（フレキシブル配線基板）
３０  突出ユニット（突出機構部）
３１  突出部
３２  駆動部（可動部材駆動部）
３３  可動部材
４０  耳あて部（突出機構部）
５０  脚突出部（突出機構部）
５１  回動脚
５２  支持軸
Ｇ  グランド面
【図１】
2013243561.tif 000003
【図２】
2013243561.tif 000004
【図３】
2013243561.tif 000005
【図４】
2013243561.tif 000006
【図５】
2013243561.tif 000007
【図６】
2013243561.tif 000008
【図７】
2013243561.tif 000009
【図８】
2013243561.tif 000010
【図９】
2013243561.tif 000011
【図１０】
2013243561.tif 000012
【図１１】
2013243561.tif 000013
【図１２】
2013243561.tif 000014
【図１３】
2013243561.tif 000015